(57)【要約】【課題】下半身の動きに対して追従しやすく履き心地のよいボクサーパンツに好適に採用される生地を提供する。【解決手段】ウエスト側の履き口部および足繰り側の足口部に伸縮性を付与するバンド部を備えないボクサーパンツに好適に用いられる生地であって、この生地は、伸縮性を備えるとともに、その端部にヘム処理および縁かがりを必要としない切りっぱなし生地であって、ボクサーパンツにおける履き口部および足口部は切りっぱなし状態であって、ボクサーパンツにおける胴周り方向を生地についての測定方向として、この測定方向の伸長回復荷重が、伸張率２０％で０．７５Ｎ／ｍｍ2以上、かつ、伸張率６０％で４．２Ｎ／ｍｍ2以下の範囲に含まれる。【選択図】図４
2019148053.tif 000002
【特許請求の範囲】
【請求項１】
ウエスト側の履き口部および足繰り側の足口部に伸縮性を付与するバンド部を備えない下半身用衣類に好適に用いられる生地であって、
前記生地は、伸縮性を備えるとともに、その端部にヘム処理および縁かがりを必要としない切りっぱなし生地であって、
前記下半身用衣類における前記履き口部および前記足口部は切りっぱなし状態であって、
前記下半身用衣類における胴周り方向を前記生地についての測定方向として、
前記生地の前記測定方向の伸長回復荷重が、伸張率２０％で０．７５Ｎ／ｍｍ2以上、かつ、伸張率６０％で４．２Ｎ／ｍｍ2以下の範囲に含まれることを特徴とする、生地。
【請求項２】
前記伸長回復荷重が、伸張率２０％で１．２Ｎ／ｍｍ2以上、かつ、伸張率６０％で３．８Ｎ／ｍｍ2以下の範囲に含まれることを特徴とする、請求項１に記載の生地。
【請求項３】
前記生地の前記測定方向の７０Ｎ引張り伸度が、１４３％以上であることを特徴とする、請求項１または請求項２に記載の生地。
【請求項４】
前記生地を伸張率３０％で伸長した後に前記伸長を開放する伸縮動作を５０００回繰り返す繰り返し動作前後における前記生地の前記測定方向の引張り強度の低下率を示すデマッチャー繰返し試験結果が、１０％以下であることを特徴とする請求項１〜請求項３のいずれかに記載の生地。
【請求項５】
前記生地を予め定められた回数だけ洗濯した後における前記デマッチャー繰返し試験結果が、１０％以下であることを特徴とする、請求項４に記載の生地。
【請求項６】
前記デマッチャー繰返し試験結果が、６％以下であることを特徴とする、請求項４または請求項５に記載の生地。
【発明の詳細な説明】
【技術分野】
【０００１】
本発明は、脚部と腹部と臀部とを被覆するパンティ部を備えたタイツやストッキング等、腹部と臀部とを被覆する下半身肌着であるボクサーパンツ（ボクサーショーツ）やガードル等の下半身用衣類に好適な生地に関し、下半身の動きに対して追従しやすく履き心地のよい下半身用衣類に好適な生地に関する。
なお、本発明における下半身用衣類は男性用および女性用に限定されないことに加えて、少なくとも腹部と臀部とを被覆する下半身用衣類であればよく、脚部を備える場合には脚部を被覆する丈の長さには特に限定されるものではない。また、肌着用であってもスポーツ用であっても構わず、その用途は限定されるものではない。なお、腹部とは主として下腹部を指すものである。本発明はこのように限定されない下半身用衣類に好適な生地に関する。
【背景技術】
【０００２】
伸縮性が大きい（よく伸びてよく縮む）生地および／または緊締力の大きい（伸びにくく締め付けて身体に密着する）生地を採用して、これらの生地を適宜使い分けた下半身用衣類が知られている。なお、この生地としては伸縮性の観点から編地が特に好ましい。このような下半身用衣類の１つとして、肌着が挙げられる。ここで、肌着は、均一な着圧分布で良好なフィット感を確保するとともに、身体の動きに対して突っ張り感やだぶつき感が生じることなく、着用時の美観を向上させる機能を備える。
【０００３】
このような肌着の１つであるボクサーパンツは、平面的な基準パターンに沿って裁断された身頃部、マチ部、前立て部の各生地片を縫製することにより構成されている。このような生地片として、日常生活での様々な動作を行なう際に、その動きを妨げないように伸縮性を備えたフライス編等のヨコ編地が用いられることが多い。
このようなボクサーパンツにおいては、ウエスト側の履き口部に、他の部分よりも伸びにくくウエストを締め付けて身体からのボクサーパンツのズレ落ちを防止するために（ウエスト）バンドが設けられることが一般的である。たとえば、このようなバンドを備えたボクサーパンツが、本願出願人により出願された、特開２０１２−１８４５２６号公報（特許文献１）に開示されている。このようなバンドを備えることによりウエストを締め付けて身体からのボクサーパンツのズレ落ちを防止することができる点、および、着用時の伸長状態でもプリントされた柄等が鮮明に保持されるデザイン性の高いバンド部を衣類に具備できる点では好ましいのであるが、このバンドが肌に喰い込んで圧迫する点を好ましく感じない使用者が存在する可能性がある。
【０００４】
また、最近では縁部が裁断されたままで切りっぱなしのフリーカット生地の下着が提案されており（特に女性用の下着）、縁部が裁断されたままで圧迫することなく着心地が好ましい。このような下着において（ウエスト）バンドを備えると、せっかく縁部が裁断されたままで胴周り（ウエスト側の履き口部）および太腿周り（足繰り側の足口部）圧迫することなく着心地が好ましいにも関わらず、胴周りについてはバンドが肌に喰い込んで圧迫してしまい、着心地が好ましくなくなる可能性がある。これに相反して、バンドを設けることなく胴周りを縁始末不要の切りっぱなしのフリーカット生地により構成することとして生地自身の持つ収縮力により着用を可能とすることになるのであるが、バンド（ゴム等）に比べて締め付け力が弱く、身体を動かすとパンツの位置がずれてしまい着用時に不快感を生じさせるという問題点がある。
【０００５】
このような問題点に鑑みて、特開２０１６−２０４８１３号公報（特許文献２）は、前身頃と後身頃とクロッチとからなる本体生地がヘム処理や、縁かがりをしない一枚の身生地で構成され、ウエスト側の履き口部や足繰り側の太腿部に伸縮性を付与するゴムを有しない下着を開示する。この特許文献２に開示された下着は、前身頃と後身頃とクロッチとからなる本体生地がヘム処理や、縁かがりをしない一枚の身生地で構成され、ウエスト側の履き口部や足繰り側の足口部に伸縮性を付与するゴムを有しない下着であって、腰部側面後方で前身頃と後身頃の両側縁同士が接合され、本体生地を展開した状態において、前
身頃の両側縁長さの中点Ｐ１，Ｐ２から中心線Ｃに達するまでのそれぞれの線長さＬ１とＬ２と、後身頃の両側縁長さの中点Ｐ３およびＰ４を結ぶ線長さＬ３とが略同じ長さとされ、前身頃上縁における中心線Ｃ上の点である前身頃上端中央点から後身頃上縁における中心線Ｃ上の点である後身頃上端中央点に達する中心線Ｃ上において、前身頃に当て布が接合もしくはモールド加工が施されている、または／および、クロッチにマチ生地が接合されていることを特徴とする。
【先行技術文献】
【特許文献】
【０００６】
【特許文献１】特開２０１２−１８４５２６号公報
【特許文献１】特開２０１６−２０４８１３号公報
【発明の概要】
【発明が解決しようとする課題】
【０００７】
しかしながら、上述した特許文献２に開示された下着によると、（限定しているようではないが全ての実施例が女性用の下着と記載）主として女性用の下着であって、本体生地を展開した状態（すなわち型紙の状態）において上述した特徴を備え特許文献２の第００１２段落に記載の作用効果を奏するためには、たとえば男性用の膨出部を備えるように型紙を構成することができそうにない。さらに、男性用の下着は、男性の身体構造が女性の身体構造と異なり上述した膨出部に収納される局部を備えるために、その存在によりパンツがズリ下がりやすいという女性用下着とは異なる側面を有する。これらの点で、上述した特許文献２に開示された下着が性別の区別なく適用できるとは到底考えにくい。
【０００８】
また、上述した特許文献２においては、ヘム処理や縁かがりをしない生地の特性（生地特性）については、経編または緯編のどちらで構成されていてもよいが経方向および緯方向にそれぞれ８０％以上伸長力を有する、としか記載されていない。特許文献２が男性用の下着および女性用の下着に限定されることがないと仮定しても、伸長力が８０％以上だけで特性が示される生地を採用しても他の生地特性（たとえば伸長回復特性等）によっては、上述した特徴を備えていても着用位置がずれて着用感に優れた下着を提供できない可能性がある。すなわち、８０％以上の伸長力以外の生地特性を一切考慮することなく、上述した特徴である型紙および接合方法を限定したところで着用位置がずれてしまい着用感に優れた下着を提供することは相当に困難であることは容易に想像できる。
【０００９】
本発明は、従来技術の上述の問題点に鑑みて開発されたものであり、その目的とするところは、ヘム処理および縁かがりをしない切りっぱなし生地で構成されウエスト側の履き口部および足繰り側の足口部に伸縮性を付与するゴムを備えない下半身用衣類に好適な生地に関し、下半身の動きに対して追従しやすく履き心地のよい下半身用衣類に好適な生地を提供することである。
【課題を解決するための手段】
【００１０】
上記目的を達成するため、本発明に係る下半身用衣類に好適な生地は以下の技術的手段を講じている。
すなわち、本発明に係る下半身用衣類に好適な生地は、ウエスト側の履き口部および足繰り側の足口部に伸縮性を付与するバンド部を備えない下半身用衣類に好適に用いられる生地であって、前記生地は、伸縮性を備えるとともに、その端部にヘム処理および縁かがりを必要としない切りっぱなし生地であって、前記下半身用衣類における前記履き口部および前記足口部は切りっぱなし状態であって、前記下半身用衣類における胴周り方向を前記生地についての測定方向として、前記生地の前記測定方向の伸長回復荷重が、伸張率２０％で０．７５Ｎ／ｍｍ2以上、かつ、伸張率６０％で４．２Ｎ／ｍｍ2以下の範囲に含まれることを特徴とする。
【００１１】
好ましくは、前記伸長回復荷重が、伸張率２０％で１．２Ｎ／ｍｍ2以上、かつ、伸張率６０％で３．８Ｎ／ｍｍ2以下の範囲に含まれるように構成することができる。
さらに好ましくは、前記生地の前記測定方向の７０Ｎ引張り伸度が、１４３％以上であるように構成することができる。
さらに好ましくは、前記生地を伸張率３０％で伸長した後に前記伸長を開放する伸縮動
作を５０００回繰り返す繰り返し動作前後における前記生地の前記測定方向の引張り強度の低下率を示すデマッチャー繰返し試験結果が、１０％以下であるように構成することができる。
【００１２】
さらに好ましくは、前記生地を予め定められた回数だけ洗濯した後における前記デマッチャー繰返し試験結果が、１０％以下であるように構成することができる。
さらに好ましくは、前記デマッチャー繰返し試験結果が、６％以下であるように構成することができる。
【発明の効果】
【００１３】
本発明によれば、下半身の動きに対して追従しやすく履き心地のよい下半身用衣類に好適な生地を提供することができる。
【図面の簡単な説明】
【００１４】
【図１】本発明の実施の形態に係る生地が好適に採用される下半身用衣類の一例であるボクサーパンツを着用した着用者を、（Ａ）腹側から見た正面図および（Ｂ）背中側から見た背面図である。
【図２】図１のボクサーパンツを平面に載置した状態における、（Ａ）正面図および（Ｂ）背面図である。
【図３】図１のボクサーパンツの型紙を示す平面図である。
【図４】図１のボクサーパンツに要求される第１の製品特性であるズレないことを説明するための図である。
【図５】図１のボクサーパンツに要求される第２の製品特性である締め付けないことを説明するための図である。
【図６】図１のボクサーパンツに要求される第３の製品特性である着脱しやすいことを説明するための図である。
【図７】図１のボクサーパンツに要求される第４の製品特性であるとともにボクサーパンツを構成する生地に要求される生地特性であるダレないことを説明するための図である。
【図８】図１のボクサーパンツに要求される第１〜第４の製品特性と生地特性との関係を説明するための図である。
【図９】実施例と比較例とを生地特性と製品特性とで評価した結果を示す図である。
【発明を実施するための形態】
【００１５】
以下、本発明の実施の形態として、下半身用衣類に好適に採用される生地を、図面に基づき詳しく説明する。なお、本発明の対象は生地であるが、まず、本発明の対象である生地が好適に採用される下半身用衣類の一例である男性用のボクサーパンツについて説明する。
なお、本発明に係る生地が好適に採用される下半身用衣類は、男性用のボクサーパンツに限定されるものではなく、主として腹部と臀部とを被覆する下半身用衣類であれば構わず、さらに脚部を被覆する下半身用衣類であっても構わず、脚部を備える場合には脚部を被覆する丈の長さには特に限定されるものではない。
【００１６】
また、本発明に係る生地は、伸縮性を備えるとともに、その端部にヘム処理および縁かがりを必要としない切りっぱなし生地（たとえばベアフライス、ベアスムース等の編地）に限定されるが、タテ編地であってもヨコ編地であっても構わない。このような編地として採用されるヨコ編地は編糸が進む方向であるヨコ方向が（タテ方向よりも）よく伸びてよく縮み、タテ編地は編糸が進む方向であるタテ方向が（ヨコ方向よりも）よく伸びてよく縮むという伸縮方向性を備える。すなわち、ヨコ編地であってもタテ編み地であってもよく伸びてよく縮む伸縮性の大きい第１の方向とこの第１の方向と略直交する第２の方向とで伸縮性が異なる。本発明に係る生地を下半身用衣類に採用するに際して、この伸縮方向性を考慮することは必要ないが、以下のような生地使いも好ましい。
【００１７】
（１）平面上に載置した下半身用衣類または下半身用衣類を着用した起立状態を、腹側から見た場合に少なくとも中央部以外は第１の方向が斜め方向、
（２）平面上に載置した下半身用衣類または下半身用衣類を着用した起立状態を、背中
側から見て第１の方向が上下方向、
（３）上記（１）または（２）において、腹側から見た第１の方向が下腹部における斜め方向、
（４）上記（１）、（２）または（３）において、背中側から見た第１の方向が、臀部における上下方向
である。
【００１８】
このように構成すると、
＜１＞ウエストラインＷは、腹側において斜め方向（第１の方向）に伸びやすく縮みやすく、背中側においてウエスト周方向（第２の方向）に伸びにくいため、背中側が胴回り方向に伸びにくいのでウエスト部にゴム等でウエストバンド部を形成しなくてもよくなるとともに、腹部は斜め方向に伸びやすく縮みやすいので、下半身用衣類が身体からずれることを抑制することができる。
【００１９】
＜２＞背中側の臀部は上下方向に伸びやすく縮みやすいため、起立状態から着座した場合に、臀部において編地が突っ張ってしまうことが発生しないのでスムーズに着座動作できるようになる。
図１〜図３を参照して、本発明の対象である生地が好適に採用されるボクサーパンツ３００について説明する。ここで、本発明に係る生地が好適に採用される下半身用衣類の一例であるボクサーパンツの構造（たとえば、編地片（パーツ片）の形状および個数ならびにそれらの接合方法）には様々なものがあり、本発明は特定の構造に限定されるボクサーパンツに好適に採用されるものではなく、後述する技術的特徴を備えたものであれば、どのようなボクサーパンツの構造であっても、ボクサーパンツを構成する編地の種類、編地の型紙（編地片（パーツ片）の形状および個数）およびその編地の接合方法がどのようなものであっても基本的には構わない。そのため、以下に示すボクサーパンツ３００の構造自体は単なる例示でしかない。
【００２０】
図１（Ａ）はボクサーパンツ３００を着用した着用者の正面図（腹側から見た図）であって、図１（Ｂ）はその背面図（背中側から見た図）であって、図２（Ａ）はボクサーパンツ３００を平面に載置した状態における正面図であって、図２（Ｂ）はその背面図である。さらに、図３はこのボクサーパンツ３００の型紙を示す平面図（紙面表面が肌に当接する面）である。
【００２１】
ここで、このボクサーパンツ３００は膨出部Ｂ（中央部編地３２０により形成）およびシック部ＴＨ（股部編地３３０により形成）を備えるが、本発明に係る生地が好適に採用される下半身用衣類は、このような膨出部Ｂを備えなくても構わないし、このようなシック部ＴＨを備えなくても構わない。なお、この膨出部Ｂは、図１（Ａ）に示すようにボクサーパンツ３００を着用した起立状態を腹側から見た場合に中央部に表されるとともに、図２（Ａ）に示すように平面上に載置したボクサーパンツ３００を腹側から見た場合に中央部に表される。この膨出部Ｂは、男性の局部を収納するための膨らみを実現するためのものであって（さらに詳しくはこの膨出部Ｂは２枚生地で構成されている）下腹部Ｕの中央部に備えられている。上述したように、この膨出部Ｂは本発明に係る生地が好適に採用される下半身用衣類に必須の構成要件ではないために本発明に係る生地が好適に採用される下半身用衣類は男性用および女性用に限定されるものではない。また、このシック部ＴＨは、股部やクロッチ部と呼ばれ、股布やクロッチ布により形成される。
【００２２】
そして、このボクサーパンツ３００は、図３に示すように、腹側から見た場合に下腹部Ｕの中央部に位置して膨出部Ｂを形成する中央部編地３２０と、シック部ＴＨを形成する股部編地３３０と、それら以外の部分（膨出部Ｂ以外の下腹部Ｕ、臀部Ｈ）を形成する編地３１０とを含む。なお、このボクサーパンツ３００において、下腹部Ｕの下方または臀部Ｈの下方であって脚の上方部分である大腿部（より詳しくは右大腿部Ｒおよび左大腿部Ｌ）は太腿の付け根を覆う程度に短いが（脚部を長く覆うものではないが）、本発明に係る生地が好適に採用される下半身用衣類においてはこの大腿部の長さは（脚部を備える場合には脚部の長さも）限定されるものではない。すなわち、ここでは、ボクサーパンツ３００は、タイツ等とは異なり、主として下腹部Ｕおよび臀部Ｈを覆い太腿部から足首部ま
での脚部を覆わない。
【００２３】
中央部編地３２０は、２枚の生地片である中央部第１編地３２０Ａと中央部第２編地３２０Ｂとを１点鎖線の矢印で示すように合わせて縫合した後に白抜き矢印で折り返して二重折り返し部ＤＬを形成する。この二重折り返し部ＤＬは、ウエストラインＷの一部を形成する。
図３において、以下のように、編地３１０、中央部編地３２０および股部編地３３０が接合される。
【００２４】
編地３１０の点Ｐ（Ｍ０）と中央部編地３２０の点Ｐ（Ｂ０）とが重なり、かつ、編地３１０の点Ｐ（Ｍ１）と中央部編地３２０の点Ｐ（Ｂ１）とが重なるように（実線両矢印ＡＬ１）、
編地３１０の点Ｐ（Ｍ３）と中央部編地３２０の点Ｐ（Ｂ３）とが重なり、かつ、編地３１０の点Ｐ（Ｍ４）と中央部編地３２０の点Ｐ（Ｂ４）とが重なるように（実線両矢印ＡＬ２）、
編地３１０の点Ｐ（Ｍ５）と股部編地３３０の点Ｐ（ＴＨ５）とが重なり、かつ、編地３１０の点Ｐ（Ｍ６）と股部編地３３０の点Ｐ（ＴＨ６）とが重なるように（実線両矢印ＡＬ３）、
中央部編地３２０の点Ｐ（Ｂ１）と股部編地３３０の点Ｐ（ＴＨ１）とが重なり、かつ、中央部編地３２０の点Ｐ（Ｂ２）と股部編地３３０の点Ｐ（ＴＨ２）とが重なるように（実線両矢印ＡＬ４）、
中央部編地３２０の点Ｐ（Ｂ３）と股部編地３３０の点Ｐ（ＴＨ３）とが重なり、かつ、中央部編地３２０の点Ｐ（Ｂ２）と股部編地３３０の点Ｐ（ＴＨ２）とが重なるように（実線両矢印ＡＬ５）、
編地３１０の点Ｐ（Ｍ１）と股部編地３３０の点Ｐ（ＴＨ１）とが重なり、かつ、編地３１０の点Ｐ（Ｍ７）と股部編地３３０の点Ｐ（ＴＨ７）とが重なるように（実線両矢印ＡＬ６）、
編地３１０の点Ｐ（Ｍ３）と股部編地３３０の点Ｐ（ＴＨ３）とが重なり、かつ、編地３１０の点Ｐ（Ｍ８）と股部編地３３０の点Ｐ（ＴＨ８）とが重なるように（実線両矢印ＡＬ７）、編地端どうしで接合されているとともに、編地１１０と中央部編地１２０と股部編地３３０が接合されて、図３において点線の両矢示で示すように胴回りおよび左右の太腿周りで筒状になるように接合されている。
【００２５】
本実施の形態においては、この接合方法として縫合を採用しているが、本発明に係る生地が好適に採用される下半身用衣類がこの縫合に限定されるものではない。すなわち、接合方法については特定の方法に限定されるものではなく、縫合（縫製による接合）であっても構わないし、接着であっても、さらに別の接合方法であっても構わない。ここでは、接合方法として縫合を用いて、図３に実線の両矢印で示されるように編地を合わせて縫合することにより、このボクサーパンツ３００が形成されている。
【００２６】
ここで、接合方法として接着を用いる場合には、図３に実線の両矢印で示されるように編地を合わせて接着テープを用いて接合することによりこのボクサーパンツ３００を形成することができる。このような接着方法についても限定されるものではないが、帯状部材の一面に接着材が塗布された接着テープであって、加熱することにより接着材が溶融して生地を熱接着して接合するものが好ましい。なお、このように、この接合には、縫合によるもの、熱圧着によるもの、熱溶着によるもの、熱融着によるもの等を含むことになる。
【００２７】
このように、本発明に係る生地が好適に採用される下半身用衣類の一例である本実施の形態に係るボクサーパンツ３００においては、図３において実線で示す両矢印に示すように縫合されて胴回りおよび左右の太腿周りで筒状に形成されるとともに、立体化されて形成されている。
次に、本発明に係る生地自体の特徴（以下において生地特性と記載する場合がある）、および、本発明に係る生地が好適に採用される下半身用衣類自体の特徴（以下において製品特性と記載する場合がある）について、図４〜図９を参照して説明する。
【００２８】
図４はボクサーパンツ３００に要求される第１の製品特性であるズレないことを説明す
るための図である。より詳しくは、図４（Ａ）は（立位）着圧とズレ量との関係を示す図で、図４（Ｂ）は図４（Ａ）に示す関係を求めるに際して予め定められた回数だけ繰り返される屈伸動作を示す図で、図４（Ｃ）は応力伸張率曲線であって製品特性のズレないに対応する生地特性の伸長回復荷重を示す図である。
【００２９】
図５はボクサーパンツ３００に要求される第２の製品特性である締め付けないことを説明するための図であってボクサーパンツ３００が膨出部Ｂ以外の部分を、ボクサーパンツ３００のサイズ毎に定められた下限寸法および上限寸法まで伸長したときの荷重（以下においてフィット圧と記載する場合がある）を示す。より詳しくは、図５（Ａ）は新品のボクサーパンツ３００の荷重を示す図で、図５（Ｂ）は洗濯後のボクサーパンツ３００の荷重を示す図である。
【００３０】
図６はボクサーパンツ３００に要求される第３の製品特性である着脱しやすいことを説明するための図であって、ボクサーパンツ３００が履き口部（ウエストラインＷの周囲長であって胴周り長さ）の最大伸長を示す図である。
図７はボクサーパンツ３００に好適に採用される生地に要求される生地特性である耐久性があることを説明するための図であって、ボクサーパンツ３００に採用された生地のサンプルを伸張率３０％で伸長した後に伸長を開放する伸縮動作を５０００回繰り返す繰り返し動作前後における生地の測定方向（ボクサーパンツ３００の胴周り方向）の引張り強度の低下率を示すデマッチャー繰返し試験（以下において洗濯デマッチャー試験と記載する場合がある）結果を示す図である。
【００３１】
図８は、本発明に係る生地が好適に採用される下半身用衣類の一例であるボクサーパンツ３００に要求される製品特性と、本発明に係る生地に要求される生地特性との関係を説明するための図である。
図９は実施例および比較例を示す図であって、より詳しくは、図９（Ａ）は本発明に係る生地および比較例に係る生地の組成および使用原糸を示す図で、図９（Ｂ）は本発明に係る生地および比較例に係る生地の生地特性に関係する生地試験結果（定量値）を示す図で、図９（Ｃ）は本発明に係る生地が好適に採用される下半身用衣類の一例であるボクサーパンツ３００の製品特性に関係する着用試験結果（定性値）を示す図である。
【００３２】
これらの図を参照して、生地特性および製品特性について、順に項目を立てて説明する。なお、伸長特性の測定方向は、ボクサーパンツ３００における胴周り方向である。
［ズレないという製品特性およびこれを実現するための生地特性］
図４を参照して、ボクサーパンツ３００に要求される第１の製品特性であるズレないこと、および、これを実現するための生地特性について説明する。
【００３３】
図４（Ａ）は、ズレないという製品特性を定量的に規定するに際しての手順示す。大略的には、被験者が着用して腰位置が安定する基準位置を決定した後に屈伸動作を予め定められた回数だけ繰り返した後の立位状態での基準位置からのズレ量が１０ｍｍ以下である。
このズレないという製品特性を定量的に規定するに際しての手順については、より詳しくは、以下の通りである。
【００３４】
(1)被験者のウエストサイズに合わせた腰ゴム伸長率０％、１７％、２２％、２８％、４４％、６０％、７０％および９０％の８個のボクサーパンツを用意する。
(2)各サイズのボクサーパンツを着用して、トレッドミルで時速５ｋｍ（傾斜なし設定）に設定して３分間歩行した後に立位状態でのボクサーパンツ腰部の位置にマーキングをし、屈伸運動を３回行なう。
(3)屈伸運動３回後、マーキングの位置からボクサーパンツの腰部がどれだけずれたかを測定する。
(4)ずれ量測定後に、ボクサーパンツ腰位置より５ｃｍ下で接触圧測定器を用いてボクサーパンツの腰部への着圧を測定する。
(5)上記(1)〜(4)を試験１回として３回の平均によりずれ量と着圧とを算出する。
【００３５】
このようにして、ウエストライン(胴周り)伸張率に対する（立位）着圧およびズレ量が、図４（Ａ）に示すように求めることができる。図４（Ａ）に示すように、ウエストライ
ン(胴周り)伸張率（％）がおおよそ２０％を下回ると、棒グラフで示す（立位）着圧が４ｈＰａを下回り着圧が明らかに不足して、折れ線グラフで示すズレ量も極端に増加してしまう。一方、ウエストライン(胴周り)伸張率（％）がおおよそ２０％以上になると、（立位）着圧は単純に増加するものの、ズレ量は極端には減少しない。さらに、ズレ量を少なくするためには（立位）着圧を増加させることは容易に思い付くものの、（立位）着圧の増加に対して、ズレ量はさほど減少しないで、ウエストライン(胴周り)伸張率（％）がおおよそ６０％を越えると、ウエストラインにカールが発生してしまい着心地および見栄えが好ましくなくなる。
【００３６】
これらの観点から、ズレないという製品特性を定量的に規定すると、図４（Ａ）における、着圧が小さ過ぎて不足することによってズレ量が大きくなることなく、かつ、（さほどズレ量が減少しないにも関わらず）着圧が大き過ぎてカールが発生することもない、（立位）着圧が２ｈＰａ以上１０ｈＰａ以下であって、ウエストライン(胴周り)伸張率（％）がおおよそ２０％以上６０％以下の範囲における、ズレ量がおおよそ１０ｍｍ以下であると判断することができる。
【００３７】
このように、ズレないという製品特性を定量的に規定したズレ量がおおよそ１０ｍｍ以下を実現させるためには、ウエストライン(胴周り)伸張率（％）がおおよそ２０％以上６０％以下の生地特性であると規定できる。図４（Ｃ）に示す応力伸張率曲線は、たとえば、１０ｃｍ×２０ｃｍの試験生地サンプルをオートグラフ（島津製作所製ＡＧＳ−１ｋＮＧ）にセットして、一定の伸長荷重を付与したときの伸張率（伸長方向は胴周り方向）を測定したものである。なお、一般的に知られているように、応力伸張率曲線はヒステリシス性を有し、復路（収縮時）が往路（伸長時）に対して同一荷重に対して測定される応力が小さい（復路（収縮時）が往路（伸長時）の下側に位置する）。このため、ここでは、５回目の復路（収縮時）の応力伸張率曲線を採用した。
【００３８】
ズレないという製品特性を定量的に規定したズレ量がおおよそ１０ｍｍ以下に対応する生地特性を定量的に規定するために、ウエストライン(胴周り)伸張率（％）がおおよそ２０％以上６０％以下に着目して、その範囲に対応する応力を、図４（Ｃ）に示す応力伸張率曲線の５回目の復路から算出した。その結果、生地特性として、伸張率２０％で０．７５Ｎ／ｍｍ2以上、かつ、伸張率６０％で４．２Ｎ／ｍｍ2以下の範囲であると規定した。この生地特性を備えた生地により形成されたボクサーパンツ３００であると、ズレないという製品特性を定量的に規定したズレ量がおおよそ１０ｍｍ以下を満足させることができる。さらに、生地特性として、伸張率２０％で１．２Ｎ／ｍｍ2以上、かつ、伸張率６０％で３．８Ｎ／ｍｍ2以下の範囲である生地により形成されたボクサーパンツ３００であると、ズレないという製品特性を定量的に規定したズレ量がおおよそ１０ｍｍ以下をさらに十分に確実に満足させることができる点でより好ましい。
【００３９】
［締め付けないという製品特性］
次に、図５を参照して、ボクサーパンツ３００に要求される第２の製品特性である締め付けないことについて説明する。
図５（Ａ）および図５（Ｂ）に示すフィット圧は、たとえば、製品状態のボクサーパンツ３００をオートグラフ（島津製作所製ＡＧＳ−１ｋＮＧ）にセットして、各サイズ（たとえば、３サイズ展開であればＳサイズ、Ｍサイズ、Ｌサイズ）の下限寸法および上限寸法まで伸長するために必要とした荷重を測定した数値である。すなわち、Ｍサイズのボクサーパンツ３００の二重生地で構成されている膨出部Ｂ以外（たとえばウエストラインである胴周り）の部分をオートグラフにセットして、別途規定されたＭサイズの下限寸法（７６ｃｍ）に伸長するために必要な荷重、および、同じように別途規定されたＭサイズの上限寸法（８４ｃｍ）に伸長するために必要な荷重を測定した。
【００４０】
図５（Ａ）は新品のボクサーパンツ３００について測定した荷重であって、図５（Ｂ）は洗濯品（１回洗濯）のボクサーパンツ３００について測定した荷重である。本発明製品は、１．２Ｎ（新品の下限）以上７．０Ｎ（洗濯品の上限）以下であって、ソフトさに定評がある他製品１を含めて、他製品２（成型品のボクサーパンツ）および他製品３（ウエストバンドが織りゴムのボクサーパンツ）に比較して、極めて低い荷重であるために、締
め付けることなく、極めてソフトに身体を包み込むように着用することできるので、極めて着用感が好ましい。
【００４１】
なお、ボクサーパンツ３００に要求される第２の製品特性である締め付けないことを定量化する際に、上述したように図５に基づき、その範囲の下限は１．２Ｎ（新品の下限）の荷重となるが、さらに緩やかな１．０８Ｎであることが好ましい。このため、ボクサーパンツ３００に要求される第２の製品特性である締め付けないことを定量化すると、サイズ毎に定められた下限寸法および上限寸法まで伸長したときの荷重が１．０８Ｎ以上７．０Ｎ以下である。
【００４２】
［着脱しやすいという製品特性］
次に、図６を参照して、ボクサーパンツ３００に要求される第３の製品特性である着脱しやすいことについて説明する。
図６に示すウエスト部最大伸びは、たとえば、製品状態のＭサイズのボクサーパンツ３００のウエストラインである胴周りをオートグラフ（島津製作所製ＡＧＳ−１ｋＮＧ）にセットして、７０Ｎの引張り荷重を付与したときの最大伸びであって、新品のボクサーパンツ３００について測定した最大伸びと、洗濯品（１回洗濯）のボクサーパンツ３００について測定した最大伸びである。
【００４３】
本発明製品は、新品で６４．３ｃｍ、洗濯品で６４．７ｃｍであって、他製品１、他製品２および他製品３のいずれよりも最大伸びが小さいものの、Ｍサイズの基準である６１ｃｍ以上を確保できている。このように、ボクサーパンツ３００の胴周りが基準よりも大きく開くので着脱しやすい。なお、Ｌサイズの場合にはこの６１ｃｍ以上が６６ｃｍ以上となる。
【００４４】
着脱しやすいという製品特性を定量的に規定した最大伸びがＭサイズで６１ｃｍ、Ｌサイズで６６ｃｍに対応する生地特性を定量的に規定すると、７０Ｎの荷重を付与したときに、ボクサーパンツ３００の胴周り方向に対応する生地の７０Ｎ引張り伸度が１４３％以上であることに対応する。この生地特性を備える生地により形成されたボクサーパンツ３００であると、着脱しやすいという製品特性を定量的に規定した最大伸びがＭサイズで６１ｃｍ以上、Ｌサイズで６６ｃｍ以上を満足させることができる。
【００４５】
［ダレないという生地特性］
次に、図７を参照して、ボクサーパンツ３００に要求される第４の製品特性であるダレないということについて説明する。なお、このダレないという第４の製品特性は、洗濯デマッチャー試験において生地サンプルを用いて特性を算出しているために、生地特性として説明する。
【００４６】
デマッチャー試験とは、生地の伸縮繰り返し挙動後の疲労性を評価する試験（繰り返し引張り疲労試験）であって、一定繰り返し進捗挙動後の伸長回復性の低下等をもって耐久性を評価する試験の一例である。より詳しくは、生地を伸張率３０％で伸長した後に伸長を開放する伸縮動作を５０００回繰り返す繰り返し動作前後における生地の胴周り方向の引張り強度の低下率を示すデマッチャー繰返し試験結果として算出する。
【００４７】
このデマッチャー試験の手順については、より詳しくは、以下の通りである。
(1)縦１０ｃｍ×周長６０ｃｍのボクサーパンツ３００のウエストラインを模擬した試験生地サンプルを作成する。
(2)上記の試験生地サンプルについて洗濯を繰返し、洗濯１０回（Ｌ１０）、３０回（Ｌ３０）のサンプルを作成する。
(3)上記(2)の洗濯後の試験生地サンプルおよび新品の試験生地サンプルについて置き寸で横幅を測定する。
(4)デマッチャー試験機の形状の繰返し引張疲労試験機により５０００回伸長と収縮とを繰り返す（伸張率は置き寸横幅の１．３倍）。
(5)５０００回伸長と収縮とを繰り返した後の、置き寸横幅を測定する。
(6)（上記(5)の置き寸横幅）/（上記(3)の置き寸横幅）×１００をダレ率（％）として算出する。
(7)上記(1)〜(6)を試験１回として３回の平均によりダレ率を算出する。
【００４８】
このような手順で行われたデマッチャー試験の結果を図７に示す。図７に示すように、上述のように定義したダレ率は１０％以下であることが好ましく、６％以下であることがさらに好ましい。
［実施例および比較例］
ボクサーパンツ３００に要求される製品特性、および、この製品特性に関連して要求される生地特性またはこの製品特性に関連しないで要求される生地特性（ボクサーパンツ３００に好適に採用される生地に要求される生地特性）を、実施例１、２、３および比較例１、２、３を用いて検証した。
【００４９】
本発明に係る生地の組成および使用原糸を図９（Ａ）に示す。このような組成および使用原糸から構成される生地に要求される生地特性に関係する生地試験結果を図９（Ｂ）に、本発明に係る生地が好適に採用される下半身用衣類の一例であるボクサーパンツ３００に要求される製品特性に関係する着用試験結果を図９（Ｃ）に、それぞれ示す。
いずれの実施例１、実施例２、実施例３も生地特性として、
伸張率２０％で０．７５Ｎ／ｍｍ2以上、かつ、伸張率６０％で４．２Ｎ／ｍｍ2以下の範囲、さらに好ましくは、伸張率２０％で１．２Ｎ／ｍｍ2以上、かつ、伸張率６０％で３．８Ｎ／ｍｍ2以下の範囲を満足し、
７０Ｎの荷重を付与したときに、ボクサーパンツ３００の胴周り方向に対応する生地の７０Ｎ引張り伸度が１４３％以上であることを満足し、
ダレ率１０％以下、好ましくはダレ率６％であることを満足している。
【００５０】
一方、いずれの比較例１、比較例２、比較例３もこれらの生地特性を満足しない。
そして、いずれの実施例１、実施例２、実施例３も製品特性として、
ズレないという製品特性を定量的に規定したズレ量がおおよそ１０ｍｍ以下であることを満足し、
締め付けないことを定量的に規定した、サイズ毎に定められた下限寸法および上限寸法まで伸長したときの荷重が１．０８Ｎ以上７．０Ｎ以下であることを満足し、
着脱しやすいという製品特性を定量的に規定した最大伸びがＭサイズで６１ｃｍ、Ｌサイズで６６ｃｍであることを満足しており、定量的なズレ量、定性的な評価結果から、いずれの実施例１、実施例２、実施例３も好ましい製品特性を実現できている一方、いずれの比較例１、比較例２、比較例３もこれらの製品特性の全てを満足しているものは存在しない。
【００５１】
以上のようにして、本実施の形態に係るボクサーパンツに好適に採用される生地によると、ヘム処理および縁かがりをしない切りっぱなし生地で構成されウエスト側の履き口部および足繰り側の足口部に伸縮性を付与するゴムを備えないボクサーパンツに好適な生地であって、下半身の動きに対して追従しやすく履き心地のよいボクサーパンツに好適な生地を提供することができる。
【００５２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
本発明は、ヘム処理および縁かがりをしない切りっぱなし生地で構成されウエスト側の履き口部および足繰り側の足口部に伸縮性を付与するゴムを備えない下半身用衣類に好適に採用でき、下半身の動きに対して追従しやすく履き心地のよい点で特に好適である。
【符号の説明】
【００５４】
３００  ボクサーパンツ（膨出部およびシック部ありタイプ）
３１０  編地
３２０  中央部編地（膨出部Ｂを形成）
３３０  股部編地（シック部ＴＨを形成）
【図１】
2019148053.tif 000003
【図２】
2019148053.tif 000004
【図３】
2019148053.tif 000005
【図４】
2019148053.tif 000006
【図５】
2019148053.tif 000007
【図６】
2019148053.tif 000008
【図７】
2019148053.tif 000009
【図８】
2019148053.tif 000010
【図９】
2019148053.tif 000011
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
ウエスト側の履き口部および足繰り側の足口部に伸縮性を付与するバンド部を備えない下半身用衣類に好適に用いられる生地であって、
前記生地は、伸縮性を備えるとともに、その端部にヘム処理および縁かがりを必要としない切りっぱなし生地であって、
前記下半身用衣類における前記履き口部および前記足口部は切りっぱなし状態であって、
前記下半身用衣類における胴周り方向を前記生地についての測定方向として、
前記生地の前記測定方向の７０Ｎ引張り伸度が、１４３％以上であることを特徴とする、生地。
【請求項２】
前記生地を伸張率３０％で伸長した後に前記伸長を開放する伸縮動作を５０００回繰り返す繰り返し動作前後における前記生地の前記測定方向の引張り強度の低下率を示すデマッチャー繰返し試験結果が、１０％以下であることを特徴とする請求項１に記載の生地。
【請求項３】
前記生地を予め定められた回数だけ洗濯した後における前記デマッチャー繰返し試験結果が、１０％以下であることを特徴とする、請求項２に記載の生地。
【請求項４】
前記デマッチャー繰返し試験結果が、６％以下であることを特徴とする、請求項２または請求項３に記載の生地。